(57)【要約】【課題】複数の携帯電話を合理的に制御することのできる電子機器を提供する。【解決手段】第１の携帯電話に電話着信があったか否かを判断する（Ｓ１０１）。第１の携帯電話に着信があったならば、このとき第２の携帯電話が通話中であるか否かを判断する（Ｓ１０２）。そして、第２の携帯電話が通話中である場合には、第１の携帯電話に着信拒否を無線送信する（Ｓ１０３）。また、Ｓ１０１での判断の結果、第１の携帯電話への着信がない場合には、第２の携帯電話２に電話着信があったか否かを判断する（Ｓ１０５）。第２の携帯電話に着信があったならば、このとき第１の携帯電話が通話中であるか否かを判断する（Ｓ１０６）。そして、第１の携帯電話が通話中である場合には、第２の携帯電話２に着信拒否を無線送信する（Ｓ１０７）。【選択図】図３
2007235285.tif 000002
【特許請求の範囲】
【請求項１】
複数の携帯電話から着信時に各々送信される着信信号を受信する受信処理手段と、
この受信処理手段が、前記複数の携帯電話のいずれかからの着信信号を受信した際、他の携帯電話が通話中であるか否かを判断する判断手段と、
この判断手段により、前記他の携帯電話が通話中であると判断された場合、前記着信信号を受信した携帯電話に通話不能であることを示す信号を送信する送信処理手段と、
を備えることを特徴とする電子機器。
【請求項２】
複数の携帯電話の優先順位を記憶する記憶手段と、
前記複数の携帯電話から着信時に各々送信される着信信号を受信する受信処理手段と、
この受信処理手段が、前記複数の携帯電話からの着信信号を同時に受信したか否かを判断する判断手段と、
この判断手段により、前記複数の携帯電話からの着信信号を同時に受信したと判断された場合、前記記憶手段に記憶されている優先順位に従って、最も優先順位が高い携帯電話以外の携帯電話に通話不能であることを示す信号を送信する送信処理手段と、
を備えることを特徴とする電子機器。
【請求項３】
前記複数の携帯電話から着信時に各々送信される着信信号に基づき、各携帯電話への着信回数を計数する計数手段と、
この計数手段により計数された前記各携帯電話への着信回数に基づき、前記記憶手段に記憶されている優先順位を変更する記憶制御手段とを備えることを特徴とする請求項２記載の電子機器。
【請求項４】
前記計測手段は、１日を単位として、前記各携帯電話の着信回数を計数することを特徴とする請求項３記載の電子機器。
【請求項５】
複数の携帯電話に着信する着信電話番号の優先順位を記憶する記憶手段と、
前記複数の携帯電話から着信時に各々送信される着信信号と着信電話番号とを受信する受信処理手段と、
この受信処理手段が、前記複数の携帯電話からの着信信号を同時に受信したか否かを判断する判断手段と、
この判断手段により、前記複数の携帯電話からの着信信号を同時に受信したと判断された場合、前記記憶手段に記憶されている着信電話番号の優先順位と前記受信処理手段が受信した着信電話番号とに基づき、最も優先順位が高い着信電話番号以外の着信電話番号を受信した携帯電話に通話不能であることを示す信号を送信する送信処理手段と、
を備えることを特徴とする電子機器。
【請求項６】
複数の携帯電話のうち少なくとも一つの携帯電話の着信拒否期間を記憶する記憶手段と、
前記複数の携帯電話から着信時に各々送信される着信信号を受信する受信処理手段と、
この受信処理手段が、前記複数の携帯電話のいずれかからの着信信号を受信した際、前記記憶手段に記憶されている着信拒否期間基づき、当該携帯電話の着信拒否期間であるか否かを判断する判断手段と、
この判断手段により、前記着信拒否期間であると判断された場合、前記着信信号を受信した携帯電話に通話不能であることを示す信号を送信する送信処理手段と、
を備えることを特徴とする電子機器。
【請求項７】
前記送信処理手段はさらに、各携帯電話に所定の処理の実行を指示する信号を送信することを特徴とする請求項１から６にいずれか記載の電子機器。
【請求項８】
前記複数の携帯電話と無線接続する無線接続手段を備え、前記受信処理手段及び送信処理手段は、前記無線接続手段を介して、前記受信及び送信を行うことを特徴とする１から６にいずれか記載の電子機器。
【請求項９】
時計手段をさらに備え、腕に装着可能であることを特徴とする請求項１から７にいずれか記載の電子機器。
【発明の詳細な説明】
【技術分野】
【０００１】
本発明は、携帯電話を制御する電子機器に関するものである。
【背景技術】
【０００２】
従来、携帯電話に対する制御機能を備えた電子機器が提案されるに至っている。この電子機器は腕時計であって、当該腕時計側でオンフック操作やダイアル操作を行うと、これらオンフック制御信号やダイアル制御信号が、腕時計から携帯電話に送信される。すると、携帯電話は、これらオンフック制御信号やダイアル制御信号がに従って、オンフック動作やダイアル動作を実行する。したがって、腕時計側での操作により、対応する当該ユーザの携帯電話を遠隔制御することができる（例えば、特許文献１参照。）。
【特許文献１】特開２００２−１２５０３９号公報
【発明の開示】
【発明が解決しようとする課題】
【０００３】
しかしながら、今日においては、携帯電話の普及に伴ってビジネス用とプライベート用との２台の携帯電話を所有する等、複数の携帯電話を所有するユーザが出現するに至っている。したがって、前述した従来技術のように、対応する１台の携帯電話を制御する電子機器では、当該ユーザが所有する複数の携帯電話を合理的に制御することができない。このため、複数の携帯電話を合理的に制御することのできる電子機器の出願が期待されていた。
【０００４】
本発明は、かかる従来の課題に鑑みてなされたものであり、複数の携帯電話を合理的に制御することのできる電子機器を提供することを目的とする。
【課題を解決するための手段】
【０００５】
前記課題を解決するため請求項１記載の発明に係る電子機器にあっては、複数の携帯電話から着信時に各々送信される着信信号を受信する受信処理手段と、この受信処理手段が、前記複数の携帯電話のいずれかからの着信信号を受信した際、他の携帯電話が通話中であるか否かを判断する判断手段と、この判断手段により、前記他の携帯電話が通話中であると判断された場合、前記着信信号を受信した携帯電話に通話不能であることを示す信号を送信する送信処理手段とを備える。
【０００６】
つまり、複数の携帯電話を所持するユーザが第１の携帯電話で通話中に第２の携帯電話に着信があっても、当該ユーザは第２の携帯電話に出ることは困難である。したがって、このように第１の携帯電話で通話中に第２の携帯電話に着信があった場合には、該第２の携帯電話に携帯電話に通話不能であることを示す信号を送信する。これを受信した第２の携帯電話において、受信した通話不能であることを示す信号に基づき、発呼者に通話不能メッセージを送信する等が可能となり、延いては、通話困難な状態にある携帯電話に対する着信報知が継続して、発呼者が不信や不快を抱く不都合が未然に防止することが可能となる。
【０００７】
また、請求項２記載の発明に係る電子機器にあっては、複数の携帯電話の優先順位を記憶する記憶手段と、前記複数の携帯電話から着信時に各々送信される着信信号を受信する受信処理手段と、この受信処理手段が、前記複数の携帯電話からの着信信号を同時に受信したか否かを判断する判断手段と、この判断手段により、前記複数の携帯電話からの着信信号を同時に受信したと判断された場合、前記記憶手段に記憶されている優先順位に従って、最も優先順位が高い携帯電話以外の携帯電話に通話不能であることを示す信号を送信する送信処理手段とを備える。
【０００８】
つまり、ユーザが所持する複数の携帯電話に同時に着信があっても、当該ユーザは複数の携帯電話で同時に通話することは困難である。したがって、このように複数の携帯電話に着信が同時にあった場合には、予め記憶されている優先順位に従って、最も優先順位が高い携帯電話以外の携帯電話に通話不能であることを示す信号を送信する。これを受信した携帯電話において、受信した通話不能であることを示す信号に基づき、発呼者に通話不能メッセージを送信する等が可能となり、延いては、通話困難な状態にある携帯電話に対する着信報知が継続して、発呼者が不信や不快を抱く不都合が未然に防止することが可能となる。
【０００９】
また、請求項３記載の発明に係る電子機器にあっては、前記複数の携帯電話から着信時に各々送信される着信信号に基づき、各携帯電話への着信回数を計数する計数手段と、この計数手段により計数された前記各携帯電話への着信回数に基づき、前記記憶手段に記憶されている優先順位を変更する記憶制御手段とを備える。したがって、着信回数に応じた合理的な優先順位の設定が可能となる。
【００１０】
また、請求項４記載の発明に係る電子機器にあっては、前記計測手段は、１日を単位として、前記各携帯電話の着信回数を計数する。したがって、１日毎に着信回数に応じた合理的な優先順位の設定が可能となる。
【００１１】
また、請求項５記載の発明に係る電子機器にあっては、複数の携帯電話に着信する着信電話番号の優先順位を記憶する記憶手段と、前記複数の携帯電話から着信時に各々送信される着信信号と着信電話番号とを受信する受信処理手段と、この受信処理手段が、前記複数の携帯電話からの着信信号を同時に受信したか否かを判断する判断手段と、この判断手段により、前記複数の携帯電話からの着信信号を同時に受信したと判断された場合、前記記憶手段に記憶されている着信電話番号の優先順位と前記受信処理手段が受信した着信電話番号とに基づき、最も優先順位が高い着信電話番号以外の着信電話番号を受信した携帯電話に通話不能であることを示す信号を送信する送信処理手段とを備える。
【００１２】
つまり、ユーザが所持する複数の携帯電話に同時に着信があっても、当該ユーザは複数の携帯電話で同時に通話することは困難である。したがって、このように複数の携帯電話に着信が同時にあった場合には、予め記憶されている着信電話番号の優先順位に従って、最も優先順位が高い着信電話番号以外の着信電話番号を受信した携帯電話に通話不能であることを示す信号を送信する。これを受信した携帯電話において、受信した通話不能であることを示す信号に基づき、発呼者に通話不能メッセージを送信する等が可能となり、延いては、通話困難な状態にある携帯電話に対する着信報知が継続して、発呼者が不信や不快を抱く不都合が未然に防止することが可能となる。
【００１３】
また、請求項６記載の発明に係る電子機器にあっては、複数の携帯電話のうち少なくとも一つの携帯電話の着信拒否期間を記憶する記憶手段と、前記複数の携帯電話から着信時に各々送信される着信信号を受信する受信処理手段と、この受信処理手段が、前記複数の携帯電話のいずれかからの着信信号を受信した際、前記記憶手段に記憶されている着信拒否期間基づき、当該携帯電話の着信拒否期間であるか否かを判断する判断手段と、この判断手段により、前記着信拒否期間であると判断された場合、前記着信信号を受信した携帯電話に通話不能であることを示す信号を送信する送信処理手段とを備える。
【００１４】
したがって、複数の携帯電話のいずれかからの着信信号を受信した際、着信拒否期間であれば、当該着信信号を受信した携帯電話に通話不能であることを示す信号が送信される。よって、これを受信した携帯電話において、受信した通話不能であることを示す信号に基づき、発呼者に通話不能メッセージを送信する等が可能となり、延いては、当該携帯電話に対する着信報知が継続して、発呼者が不信や不快を抱く不都合が未然に防止することが可能となる。
【００１５】
また、請求項７記載の発明に係る電子機器にあっては、前記送信処理手段はさらに、各携帯電話に所定の処理の実行を指示する信号を送信する。したがって、電子機器側から複数の携帯電話を制御することができる。
【００１６】
また、請求項８記載の発明に係る電子機器にあっては、前記複数の携帯電話と無線接続する無線接続手段を備え、前記受信処理手段及び送信処理手段は、前記無線接続手段を介して、前記受信及び送信を行う。したがって、無線接続手段を利用した無線により、複数の携帯電話の制御が可能となる。
【００１７】
また、請求項９記載の発明に係る電子機器にあっては、時計手段をさらに備え、腕に装着可能である。したがって、複数の携帯電話を制御する電子機器を腕時計と同様の携帯感覚で違和感なく手軽に携帯することができる。
【発明の効果】
【００１８】
以上説明したように請求項１に係る発明によれば、ユーザが複数の携帯電話を所持する場合において、第１の携帯電話で通話中に第２の携帯電話に着信があった場合には、該第２の携帯電話に携帯電話に通話不能であることを示す信号を送信することができる。したがって、複数の携帯電話を所持するユーザがある携帯電話で通話中であり、他の携帯電話に出ることは困難である状況下において、複数の携帯電話を合理的に制御することができる。
【００１９】
また、請求項２、５に係る発明によれば、ユーザが複数の携帯電話を所持する場合において、複数の携帯電話に同時に着信があっても、優先順位に従って、最も優先順位が高い着信電話番号以外の着信電話番号を受信した携帯電話に通話不能であることを示す信号を送信することができる。したがって、複数の携帯電話に同時着信が発生した状況下において、複数の携帯電話を合理的に制御することができる。
【００２０】
また、請求項６に係る発明によれば、複数の携帯電話のいずれかからの着信信号を受信した際、着信拒否期間であれば、当該着信信号を受信した携帯電話に通話不能であることを示す信号を送信することができる。したがって、ユーザが複数の携帯電話を所持する場合において、期間を用いて複数の携帯電話を合理的に制御することができる。
【００２１】
さらに各請求項に係る発明によれば、通話不能であることを示す信号を受信した携帯電話において、受信した通話不能であることを示す信号に基づき、発呼者に通話不能メッセージを送信する等が可能となり、延いては、通話困難な状態にある携帯電話に対する着信報知が継続して、発呼者が不信や不快を抱く不都合が未然に防止することも可能となる。
【発明を実施するための最良の形態】
【００２２】
（第１の実施の形態）
以下、本発明の一実施の形態を図に従って説明する。図１は、本発明の一実施の形態を適用したシステムの構成図である。このシステムは、スレーブとなる第１及び第２の携帯電話１、２と、これら両携帯電話１、２にブルーツゥース（Ｂｌｕｅｔｏｏｔｈ）方式により近接無線接続されたマスターとなる腕時計３とで構成されている。また、両携帯電話１、２は、常時腕時計３との無線接続状態を維持し、着信があった際等当該携帯電話１、２に変化があった場合には、その状態を示す状態信号を前記近接無線により腕時計３に送信する機能、及び腕時計３から前記近接無線により送信される各種コマンド等を受信する機能を有している。
【００２３】
図２は、各実施の形態に共通する腕時計３の構成を示すブロック図である。この腕時計３は、各部を制御するＣＰＵ４を備え、ＣＰＵ４には、時計回路５、ドライバ６〜９、ＵＡＲＴ１０、ＲＯＭ１１、ＲＡＭ１２及びスイッチ１３が接続されている。時計回路５、発信、分周回路を備え、この分周回路から入力されるパルス信号に基づき、月、曜日、日時を含む現在時刻を生成しＣＰＵ４に供給する。ドライバ６は、腕時計３の本体上面に配置されたＬＣＤ１４を駆動し、ＣＰＵ４からの駆動信号により時計回路５が生成する現在時刻や他の各種データをＬＣＤ１４に表示させる。ドライバ７は、腕時計３の本体内部に配置された振動モータ１５を駆動し、ドライバ８は、腕時計３の本体上面に配置されたＬＥＤ１６を駆動し、ドライバ９はピエゾ１７を駆動する。
【００２４】
ＵＡＲＴ１０には、ブルーツゥースモジュール１８を介してアンテナ１９に接続されており、したがって、前述のように腕時計３はブルーツゥース方式により、両携帯電話１、２と近接無線接続される。ＲＯＭ１１には、後述するフローチャートによって示すプログラムが格納されており、ＲＡＭ１２は、ＣＰＵ４がこのプログラムに基づいて処理を実行する際のワークエリア等として使用される。スイッチ１３は、腕時計３の本体周部に配置された各種スイッチボタンを有し、これらスイッチボタンの操作情報をＣＰＵ４に入力する。
【００２５】
以上の構成にかかる本実施の形態において、ユーザは、腕時計３を腕に装着するとともに、第１及び第２の携帯電話１、２を携帯する。この状態において、腕時計３のＣＰＵ４は、ＲＯＭ１１に格納されているプログラムに基づき、図３のフローチャートに示す処理を実行する。すなわち、第１の携帯電話１からの送信信号に基づき、当該第１の携帯電話１に電話着信（通話着信）があったか否かを判断する（ステップＳ１０１）。第１の携帯電話１に着信があったならば、このとき第２の携帯電話２から送信されてい状態信号に基づき、該第２の携帯電話２が通話中であるか否かを判断する（ステップＳ１０２）。そして、第２の携帯電話２が通話中である場合には、第１の携帯電話１に着信拒否を無線送信する（ステップＳ１０３）。
【００２６】
つまり、ユーザが第２の携帯電話２により通話中の状態において、第１の携帯電話１に着信があっても、さらに該第１の携帯電話１で通話を開始することは困難である。よって、この場合には、第１の携帯電話１に着信拒否を無線送信する。これを受信した第１の携帯電話１は、この着信拒否を受信して、例えば「只今、電話に出ることができません。」等のメッセージを発呼者に送信する。これにより、通話困難な状態にある第１の携帯電話１の着信報知が継続して、発呼者が不信や不快を抱く不都合が未然に防止される。
【００２７】
なお、ステップＳ１０２での判断の結果、第２の携帯電話２が通話中でない場合には、第１の携帯電話１の着信報知を行う（ステップＳ１０４）。つまり、予め設定されている第１の携帯電話１用の振動パターンで振動モータ１５を振動動作させ、あるいは、予め設定されている第１の携帯電話１用の点灯パターンでＬＥＤ１６を点滅動作させる。これにより、ユーザは第１の携帯電話１への着信であることを認識することができる。
【００２８】
一方、ステップＳ１０１での判断の結果、第１の携帯電話１への着信がない場合には、第２の携帯電話２からの送信信号に基づき、当該第２の携帯電話２に電話着信（通話着信）があったか否かを判断する（ステップＳ１０５）。第２の携帯電話２に着信があったならば、このとき第１の携帯電話１が通話中であるか否かを判断する（ステップＳ１０６）。そして、第１の携帯電話１が通話中である場合には、第２の携帯電話２に着信拒否を無線送信する（ステップＳ１０７）。
【００２９】
つまり、前述と同様に、ユーザが第１の携帯電話１により通話中の状態において、第２の携帯電話２に着信があっても、さらに該第２の携帯電話２で通話を開始することは困難である。よって、この場合には、第２の携帯電話２に着信拒否を無線送信する。これを受信した第２の携帯電話２は、この着信拒否を受信して、着信拒否メッセージを発呼者に送信する。これにより、通話困難な状態にある第２の携帯電話２の着信報知が継続して、発呼者が不信や不快を抱く不都合が未然に防止される。
【００３０】
なお、ステップＳ１０６での判断の結果、第１の携帯電話１が通話中でない場合には、第２の携帯電話２の着信報知を行う（ステップＳ１０８）。つまり、予め設定されている第２の携帯電話２用の振動パターンで振動モータ１５を振動動作させ、あるいは、予め設定されている第２の携帯電話２用の点灯パターンでＬＥＤ１６を点滅動作させる。これにより、ユーザは第２の携帯電話２への着信であることを認識することができる。
【００３１】
（第２の実施の形態）
図４は、本発明の第２の実施の形態における処理手順を示すフローチャートであり、両携帯電話１、２に同時着信があった場合において、優先順位に基づき両携帯電話１、２を制御するようにしたものである。この実施の形態においては、ユーザはスイッチ１３を操作することにより、予め携帯電話１、２のいずれの方が優先順位が高いかを設定し、この設定した優先順位はＲＡＭ１２に記憶される。この状態において、ＣＰＵ４は、ＲＯＭ１１に格納されているプログラムに基づき、図４のフローチャートに示す処理を実行する。すなわち、第１及び第２の携帯電話１、２に同時に着信があったか否かを判断する（ステップＳ２０１）。第１及び第２の携帯電話１、２に同時に着信があった場合には、第１の携帯電話１の優先順位の方が、第２の携帯電話２の優先順位よりも高いか否かを判断を判断する（ステップＳ２０２）。そして、第１の携帯電話１の優先順位の方が高い場合には（ステップＳ２０２；ＹＥＳ）、優先順位の低い第２の携帯電話２に着信拒否を送信するし（ステップＳ２０３）、優先順位の高い第１の携帯電話１の着信報知を行う（ステップＳ２０４）。
【００３２】
つまり、第１及び第２の携帯電話１、２に同時着信があった場合、第１の携帯電話１の方が優先順位が高ければ、予め設定されている第１の携帯電話１用の振動パターンで振動モータ１５を振動動作させ、あるいは、予め設定されている第１の携帯電話１用の点灯パターンでＬＥＤ１６を点滅動作させる。これにより、同時着信があった場合において、優先順位の高い第１の携帯電話１への着信を確実にユーザに報知することができる。また、これと同時に、優先順位の低い第２の携帯電話２には、着信拒否を無線送信し（ステップＳ２０４）、これを受信した第２の携帯電話２は、この着信拒否を受信して、例えば「只今、電話に出ることができません。」等のメッセージを発呼者に送信する。これにより、通話困難な状態となる第２の携帯電話２の着信報知が継続して、発呼者が不信や不快を抱く不都合が未然に防止される。
【００３３】
しかし、ステップＳ２０２での判断の結果、前述とは逆に、第２の携帯電話２の優先順位の方が高い場合には（ステップＳ２０２；ＮＯ）、優先順位の低い第１の携帯電話１に着信拒否を送信し（ステップＳ２０５）、優先順位の高い第２の携帯電話２の着信報知を行う（ステップＳ１０６）。
【００３４】
また、ステップＳ２０１での判断の結果、第１及び第２の携帯電話１、２への同時着信がない場合には、第１の携帯電話１への着信があったか否かを判断し（ステップＳ２０７）、第１の携帯電話１への着信があった場合には、前記ステップＳ２０４に進み、第１の携帯電話１の着信報知を行う。また、ステップＳ２０７での判断の結果、第１の携帯電話１への同時着信がない場合には、第１の携帯電話２への着信があったか否かを判断し（ステップＳ２０８）、第２の携帯電話２への着信があった場合には、前記ステップＳ２０６に進み、第２の携帯電話２の着信報知を行う。
【００３５】
（第３の実施の形態）
【００３６】
図５及び図６は、前述した第２の実施の形態における前記優先順位を自動設定する場合の処理手順を示すフローチャートであり、ＣＰＵ４は図５のフローチャートに示す電話着信回数のカウント処理を常時実行する。すなわち、第１の携帯電話１に着信があったか否かを判断し（ステップＳ３０１）、着信があった場合には、ＲＡＭ１２に記憶している第１の携帯電話１の着信回数をカウントアップさせる（ステップＳ３０２）。また、第１の携帯電話１への着信がなかった場合には、第２の携帯電話２に着信があったか否かを判断し（ステップＳ３０３）、着信があった場合には、ＲＡＭ１２に記憶している第１の携帯電話１の着信回数をカウントアップさせる（ステップＳ３０４）。なお、第１及び第２の携帯電話１、２の着信回数は、後述するステップＳ４０４で１日１回所定時刻に「０」にリセットされる。したがって、ＲＡＭ１２に記憶されている第１及び第２の携帯電話１、２の着信回数は、１日における着信回数である。
【００３７】
また、ＣＰＵ４は図６のフローチャートに示す日キャリー処理を１日１回、午前零時に実行する。すなわち、前記ＲＡＭ１２に記憶されてい第１の携帯電話１の着信回数が第２の携帯電話２の着信回数よりも多いか否かを判断する（ステップＳ４０１）。この判断がＹＥＳであって、第１の携帯電話１の着信回数が第２の携帯電話２の着信回数よりも多い場合には、第１の携帯電話１の優先順位を「高」に設定し、かつ、第２の携帯電話２の優先順位を「低」に設定する（ステップＳ４０２）。また、これとは逆に、ステップＳ４０１の判断がＮＯであって、第２の携帯電話２の着信回数が第１の携帯電話１の着信回数よりも多い場合には、第２の携帯電話２の優先順位を「高」に設定し、かつ、第１の携帯電話１の優先順位を「低」に設定する（ステップＳ４０２）。しかる後に、第１及び第２の携帯電話１、２の着信回数を「０」にリセットする（ステップＳ４０４）。したがって、本実施の形態によれば、各携帯電話１、２への１日における着信回数に応じて、同時着信時の優先順位を自動設定することができる。
【００３８】
なお、本実施の形態においては、各携帯電話１、２への１日における着信回数に応じて、同時着信時の優先順位を自動設定するようにしたが、１日に限らず、１週間あるいは１０日単位等、より長い期間における着信回数で優先順位を決定するうようにしてもよい。
【００３９】
（第４の実施の形態）
図７は、本発明の第４の実施の形態における処理手順を示すフローチャートであり、両携帯電話１、２に同時着信があった場合において、優先順位に基づき両携帯電話１、２を制御するようにしたものである。この実施の形態においては、ユーザはスイッチ１３を操作することにより、
優先順位１：着信電話番号○○○−××××−△△△△
優先順位２：着信電話番号×××−△△△△−○○○○
・・・
のように、優先順位に対応して着信電話番号をＲＡＭ１２記憶しておく。また、本実施の形態においては、携帯電話１、２に着信があった際には、各携帯電話１、２から着信信号とともに、当該携帯電話１、２への着信電話番号が送信される。かかる構成において、ＣＰＵ４は、ＲＯＭ１１に格納されているプログラムに基づき、図７のフローチャートに示す処理を実行する。すなわち、第１及び第２の携帯電話１、２に同時に着信があったか否かを判断する（ステップＳ５０１）。第１及び第２の携帯電話１、２に同時に着信があった場合には、第１の携帯電話１に着信した着信電話の電話番号の方が、第２の携帯電話２に着信した着信電話の電話番号の優先順位よりも高いか否かを判断を判断する（ステップＳ５０２）。そして、第１の携帯電話１に着信した着信電話の電話番号の優先順位の方が高い場合には（ステップＳ５０２；ＹＥＳ）、優先順位の低い第２の携帯電話２に着信拒否を送信し（ステップＳ５０３）、優先順位の高い第１の携帯電話１の着信報知を行う（ステップＳ５０４）。
【００４０】
つまり、第１及び第２の携帯電話１、２に同時着信があった場合、第１の携帯電話１に着信した着信電話の電話番号の方が優先順位が高ければ、予め設定されている第１の携帯電話１用の振動パターンで振動モータ１５を振動動作させ、あるいは、予め設定されている第１の携帯電話１用の点灯パターンでＬＥＤ１６を点滅動作させる。これにより、同時着信があった場合において、優先順位の高い着信電話番号からの第１の携帯電話１への着信を確実にユーザに報知することができる。また、これと同時に、優先順位の低い第２の携帯電話２には、着信拒否を無線送信し（ステップＳ５０４）、これを受信した第２の携帯電話２は、この着信拒否を受信して、例えば「只今、電話に出ることができません。」等のメッセージを発呼者に送信する。これにより、通話困難な状態となる第２の携帯電話２の着信報知が継続して、発呼者が不信や不快を抱く不都合が未然に防止される。
【００４１】
しかし、ステップＳ５０２での判断の結果、前述とは逆に、第２の携帯電話２に着信した着信電話の電話番号の方が優先順位が高い場合には（ステップＳ５０２；ＮＯ）、優先順位の低い第１の携帯電話１に着信拒否を送信し（ステップＳ５０５）、優先順位の高い第２の携帯電話２の着信報知を行う（ステップＳ１０６）。
【００４２】
また、ステップＳ５０１での判断の結果、第１及び第２の携帯電話１、２への同時着信がない場合には、第１の携帯電話１への着信があったか否かを判断し（ステップＳ５０７）、第１の携帯電話１への着信があった場合には、前記ステップＳ５０４に進み、第１の携帯電話１の着信報知を行う。また、ステップＳ５０７での判断の結果、第１の携帯電話１への同時着信がない場合には、第１の携帯電話２への着信があったか否かを判断し（ステップＳ５０８）、第２の携帯電話２への着信があった場合には、前記ステップＳ５０６に進み、第２の携帯電話２の着信報知を行う。
【００４３】
（第５の実施の形態）
図８は、本発明の第５の実施の形態における処理手順を示すフローチャートであり、特定の期間においては、一方の携帯電話のへの着信を報知するようにしたものである。この実施の形態においては、ユーザはスイッチ１３を操作することにより、予め携帯電話１に着信があった場合であっても、これを報知しない着信拒否期間を設定し、この設定した携帯電話１の着信拒否期間はＲＡＭ１２に記憶される。そして、例えば、携帯電話１の着信拒否期間として、土曜日及び日曜日を設定した状態において、ＣＰＵ４は、ＲＯＭ１１に格納されているプログラムに基づき、図８のフローチャートに示す処理を実行する。すなわち、第１の携帯電話１からの送信信号に基づき、当該第１の携帯電話１に電話着信（通話着信）があったか否かを判断する（ステップＳ６０１）。第１の携帯電話１に着信があったならば、時計回路５が生成している現在曜日に基づき、本日が土曜日あるいは日曜日であるか否かを判断する（ステップＳ６０２）。そして、土曜日あるいは日曜日である場合には、第１の携帯電話１に着信拒否を無線送信する（ステップＳ６０３）。
【００４４】
つまり、ユーザがビジネス用として使用している第１の携帯電話１に、その着信拒否期間である土曜日あるいは日曜日に着信があった場合には、第１の携帯電話１に着信拒否を無線送信する。これを受信した第１の携帯電話１は、この着信拒否を受信して、例えば「本日は休日につき、電話に出ることができません。」等のメッセージを発呼者に送信する。これにより、ビジネス用の第１の携帯電話１の着信報知が継続して、発呼者が不信や不快を抱く不都合が未然に防止される。
【００４５】
なお、ステップＳ６０２での判断の結果、土曜日あるいは日曜日でない場合には、第１の携帯電話１の着信報知を行う（ステップＳ６０４）。つまり、予め設定されている第１の携帯電話１用の振動パターンで振動モータ１５を振動動作させ、あるいは、予め設定されている第１の携帯電話１用の点灯パターンでＬＥＤ１６を点滅動作させる。これにより、ユーザは第１の携帯電話１への着信であることを認識することができる。
【００４６】
一方、ステップＳ６０１での判断の結果、第１の携帯電話１への着信がない場合には、第２の携帯電話２からの送信信号に基づき、当該第２の携帯電話２に電話着信（通話着信）があったか否かを判断する（ステップＳ６０５）。第２の携帯電話２に着信があったならば、第２の携帯電話２の着信報知を行う（ステップＳ６０６）。つまり、予め設定されている第２の携帯電話２用の振動パターンで振動モータ１５を振動動作させ、あるいは、予め設定されている第２の携帯電話２用の点灯パターンでＬＥＤ１６を点滅動作させる。これにより、ユーザは第２の携帯電話２への着信であることを認識することができる。
【００４７】
なお、本実施の形態にいおいては、曜日により着信拒否期間を設定する例を示したが、これに限ることなく、より短い時間単位で設定したり、より長い複数日、週、月等の期間で設定するようにしてもよい。
【００４８】
（その他の実施の形態）
図９〜図２１は、本発明のその他の実施の形態における処理手順を示すフローチャートであり、これらの実施の形態は、前述した第１〜第５の実施の形態と適宜組み合わせることができる。図９は、各携帯電話１、２に対するミュート処理を行う処理手順を示すフローチャートである。まず、第１の携帯電話１に着信があったか否かを判断し（ステップＳ７０１）、着信があった場合には、第１の携帯電話１へ着信音のミュート指示信号を送信する。また、第１の携帯電話１に着信がなかった場合には、第２の携帯電話２に着信があったか否かを判断し（ステップＳ７０３）、着信があった場合には、第２の携帯電話２へ着信音のミュート指示信号を送信する。したがって、これら送信されたミュート指示信号を受信した第１又は第２の携帯電話１、２において、ミュート指示信号に従って着信音のミュート処理が実行される。
【００４９】
図１０は、各携帯電話１、２に対する同時サイレントモードのセット及びリリース処理を行う処理手順を示すフローチャートである。サイレントモードのセット処理においては、図（Ａ）に示すように、第１の携帯電話１にサイレントモードセット指示信号を送信し、引き続き、第１の携帯電話１にサイレントモードセット指示信号を送信し（ステップＳ７１１）、引き続き、第２の携帯電話２にサイレントモードセット指示信号を送信する（ステップＳ７１２）。また、サイレントモードのリリース処理においては、図（Ｂ）に示すように、第１の携帯電話１にサイレントモードリリース指示信号を送信し、引き続き、第１の携帯電話１にサイレントモードリリース指示信号を送信し（ステップＳ７３１）、引き続き、第２の携帯電話２にサイレントモードリリース指示信号を送信する（ステップＳ７３２）。したがって、これら送信されたサイレントモードセット指示信号又はサイレントモードリリース指示信号を受信した第１又は第２の携帯電話１、２において、サイレントモードのセット処理又はサイレントモードのリリース処理が実行されることとなる。
【００５０】
図１１は、電話、メール着信報知処理の処理手順を示すフローチャートである。すなわち、第１の携帯電話１に電話着信があったか否か（ステップＳ８０１）、第１の携帯電話１にメール着信があったか否か（ステップＳ８０３）、第２の携帯電話２に電話着信があったか否か（ステップＳ８０５）、第２の携帯電話２にメール着信があったか否か（ステップＳ８０７）を順次判断する。そして、第１の携帯電話１に電話着信があった場合には（ステップＳ８０１；ＹＥＳ）、予め設定されている第１の携帯電話１の電話着信のパターンによる報知、つまり第１の携帯電話１の電話着信用の振動パターンで振動モータ１５を振動動作させ、あるいは、予め設定されている第１の携帯電話１用の点灯パターンでＬＥＤ１６を点滅動作させる報知を行う（ステップＳ８０２）。
【００５１】
また、第１の携帯電話１にメール着信があった場合には（ステップＳ８０３；ＹＥＳ）、第１の携帯電話１のメール着信パターンによる報知を行い（ステップＳ８０４）、第２の携帯電話２に電話着信があった場合には（ステップＳ８０５；ＹＥＳ）、第２の携帯電話２の電話着信のパターンによる報知を行い（ステップＳ８０６）、第２の携帯電話２にメール着信があった場合には（ステップＳ８０７；ＹＥＳ）、第２の携帯電話２のメール着信パターンによる報知を行う（ステップＳ８０７）。したがって、腕時計３からの着信報知によりユーザは、第１の携帯電話１への電話着信であるかメール着信であるか、及び第２の携帯電話２への電話着信であるかメール着信であるかを認識することができる。
【００５２】
図１２は、ワンタッチ操作により、第１の携帯電話１の電話着信パターンを切り替え選択するパターン選択処理の処理手順を示すフローチャートである。すなわち、所定のスイッチが操作されたならば、このとき第１の携帯電話１の電話着信パターンとして、「振動１０回」が設定されているか否かを判断し（ステップＳ９０１）、設定されているならば、第１の携帯電話１の電話着信パターンとして、「振動２０回」を設定する（ステップＳ９０２）。また、「振動１０回」が設定されていない場合には、「振動２０回」が設定されているか否かを判断し（ステップＳ９０３）、「振動２０回」が設定されている場合には、「振動／ＬＥＤ１０回」を設定する（ステップＳ９０４）。
【００５３】
また、「振動２０回」が設定されていない場合には、「振動／ＬＥＤ１０回」が設定されているか否かを判断し（ステップＳ９０５）、設定されているならば、第１の携帯電話１の電話着信パターンとして、「振動／ＬＥＤ２０回」を設定する（ステップＳ９０６）。さらに、「振動／ＬＥＤ１０回」が設定されていない場合には、第１の携帯電話１の電話着信パターンとして、「振動１０回」を設定する（ステップＳ９０７）。したがって、腕時計３側で所定のスイッチを操作すると、操作する毎に第１の携帯電話１の電話着信パターンとして、「振動２０回」→「振動／ＬＥＤ１０回」→「振動／ＬＥＤ２０回」→「振動１０回」とサイクリックに設定変更され、腕時計３側での簡単な操作により、第１の携帯電話１の報知パターンを容易に設定変更することができる。
【００５４】
なお、図１２においては、第１の携帯電話１に対するパターン選択処理のみを示したが、第２の携帯電話２に対するパターン選択処理も同様のフローに従って実行することができる。また、実施の形態においては、本発明を腕時計に適用した場合を示したが、腕時計に限ることなく、他の電子機器に適用するようにしてもよい。また、適用する電子機器は、携帯型であることが好ましいが据え置き型の電子機器に適用するようにしてもよい。
【図面の簡単な説明】
【００５５】
【図１】本発明の一実施の形態を適用したシステムの構成図である。
【図２】各実施の形態に共通する腕時計の構成を示すブロック図である。
【図３】本発明の第１の実施の形態の処理手順を示すフローチャートである。
【図４】本発明の第２の実施の形態における処理手順を示すフローチャートである。
【図５】電話着信回数カウント処理の処理手順を示すフローチャートである。
【図６】日キャリー処理の処理手順を示すフローチャートである。
【図７】本発明の第４の実施の形態における処理手順を示すフローチャートである。
【図８】本発明の第５の実施の形態における処理手順を示すフローチャートである。
【図９】着信音ミュート処理の処理手順を示すフローチャートである。
【図１０】（Ａ）はサイレントモードセット処理の処理手順を示すフローチャートであり、（Ｂ）はサイレントモードリリース処理の処理手順を示すフローチャートである。
【図１１】電話、メール着信報知処理の処理手順を示すフローチャートである。
【図１２】第１の携帯電話の電話着信パターン選択処理の処理手順を示すフローチャートである。
【符号の説明】
【００５６】
１    第１の携帯電話
２    第２の携帯電話
３    腕時計
４    ＣＰＵ
５    時計回路
１１    ＲＯＭ
１２    ＲＡＭ
１３    スイッチ
１４    ＬＣＤ
１５    振動モータ
１６    ＬＥＤ
１８    ブルーツゥースモジュール
１９    アンテナ
【図１】
2007235285.tif 000003
【図２】
2007235285.tif 000004
【図３】
2007235285.tif 000005
【図４】
2007235285.tif 000006
【図５】
2007235285.tif 000007
【図６】
2007235285.tif 000008
【図７】
2007235285.tif 000009
【図８】
2007235285.tif 000010
【図９】
2007235285.tif 000011
【図１０】
2007235285.tif 000012
【図１１】
2007235285.tif 000013
【図１２】
2007235285.tif 000014